(57)【要約】【課題】環境変化や経年劣化などに起因する紙葉類鑑別装置の光検出器からの出力の変動を適切に補正する技術を提供する。【解決手段】紙幣鑑別装置１０は、搬送路２上を搬送されている紙幣１に光を照射するための光源１１と、光源１１からの光を検出して検出した光量に応じた出力値を出力する光検出器１２と、紙幣１が搬送路２にない状態での光源１１の点灯時間毎の光検出器１２からの出力値である第１の出力値と光源１１の点灯時間毎の所望の出力値である第２の出力値の関係を記憶する記憶部２１と、光源１１の点灯時間毎の第１の出力値と第２の出力値との関係に基づいて紙幣１が搬送路２にある状態での光検出器１２からの出力値である第３の出力値を補正して、補正により得られる第４の出力値を出力する出力補正部２２と、出力補正部２２から出力される第４の出力値に基づいて紙幣１の真贋を鑑別する鑑別部２３を備える。【選択図】図３
2014130391.tif 000002
【特許請求の範囲】
【請求項１】
搬送路上を搬送されている紙葉類に光を照射するための光源と、
前記光源からの光を検出し、検出した光量に応じた出力値を出力する光検出器と、
前記紙葉類が前記光源と前記光検出器との間の搬送路にない状態における前記光源の点灯時間毎の前記光検出器からの出力値である第１の出力値と前記光源の点灯時間毎の所望の出力値である第２の出力値との関係を記憶する記憶部と、
前記記憶部に記憶されている前記光源の点灯時間毎の前記第１の出力値と前記第２の出力値との関係に基づいて、前記紙葉類が前記光源と前記光検出器との間の前記搬送路にある状態における前記光検出器からの出力値である第３の出力値を補正して、補正により得られる出力値である第４の出力値を出力する出力補正部と、
前記出力補正部から出力される前記第４の出力値に基づいて、前記紙葉類の真贋を鑑別する鑑別部と、を備える
ことを特徴とする紙葉類鑑別装置。
【請求項２】
請求項１に記載の紙葉類鑑別装置において、
前記記憶部は、前記紙葉類が前記光源と前記光検出器との間の前記搬送路にない状態で前記光源の点灯時間を変化させながら予め取得した前記光源の点灯時間毎の前記第１の出力値と前記光源の点灯時間毎の前記第２の出力値とを関連付けた変換テーブルを記憶し、
前記出力補正部は、前記変換テーブルに前記第３の出力値と同じ値の前記第１の出力値が存在する場合には、前記第３の出力値と同じ値の前記第１の出力値と関連付けられている前記第２の出力値を前記第４の出力値として出力する
ことを特徴とする紙葉類鑑別装置。
【請求項３】
請求項２に記載の紙葉類鑑別装置において、
前記出力補正部は、前記変換テーブルに前記第３の出力値と同じ値の前記第１の出力値が存在しない場合には、前記第２の出力値を補間して前記第４の出力値を算出し出力する
ことを特徴とする紙葉類鑑別装置。
【請求項４】
請求項１乃至請求項３のいずれか１項に記載の紙葉類鑑別装置において、
前記記憶部に記憶されている前記光源の点灯時間毎の前記第２の出力値は、前記点灯時間に対して線形的に増加する関係を有している
ことを特徴とする紙葉類鑑別装置。
【請求項５】
請求項１乃至請求項３のいずれか１項に記載の紙葉類鑑別装置において、
前記記憶部に記憶されている前記光源の点灯時間毎の前記第２の出力値は、前記点灯時間に対して対数関数的に変化する関係を有している
ことを特徴とする紙葉類鑑別装置。
【請求項６】
光源と光検出器とを備える紙葉類鑑別装置の調整方法であって、
前記紙葉類が前記光源と前記光検出器との間の搬送路にない状態で前記光源の点灯時間を変化させながら前記光源の点灯時間毎の前記光検出器からの出力値である第１の出力値を取得し、
前記紙葉類が前記光源と前記光検出器との間の前記搬送路にある状態における前記光検出器からの出力値を補正するために、前記光源の点灯時間毎の前記第１の出力値と前記光源の点灯時間毎の所望の出力値である第２の出力値との関係を記憶部に記憶させ、
前記記憶部に記憶されている前記光源の点灯時間毎の前記第１の出力値と前記第２の出力値との関係に基づいて、前記紙葉類が前記光源と前記光検出器との間の前記搬送路にある状態における前記光検出器からの出力値を補正する
ことを特徴とする調整方法。
【請求項７】
光源と光検出器とを備える紙葉類鑑別装置の調整用のプログラムであって、
前記紙葉類が前記光源と前記光検出器との間の搬送路にない状態で前記光源の点灯時間を変化させながら前記光源の点灯時間毎の前記光検出器からの出力値である第１の出力値を取得し、
前記紙葉類が前記光源と前記光検出器との間の前記搬送路にある状態における前記光検出器からの出力値を補正するために、前記光源の点灯時間毎の前記第１の出力値と前記光源の点灯時間毎の所望の出力値である第２の出力値との関係を記憶部に記憶させ、
前記記憶部に記憶されている前記光源の点灯時間毎の前記第１の出力値と前記第２の出力値との関係に基づいて、前記紙葉類が前記光源と前記光検出器との間の前記搬送路にある状態における前記光検出器からの出力値を補正する
処理をコンピュータに実行させることを特徴とするプログラム。
【発明の詳細な説明】
【技術分野】
【０００１】
本発明は、紙葉類鑑別装置、紙葉類鑑別装置の調整方法、及び、プログラム技術に関する。
【背景技術】
【０００２】
ＡＴＭ（Automated Teller Machine）に設けられた紙幣鑑別装置は、紙葉類鑑別装置の一種であり、少なくとも紙幣に光を照射するための発光素子と発光素子から出射した光を検出する受光素子とを備えている。紙幣鑑別装置は、紙幣を反射または透過した発光素子からの光を検出することで得られる受光素子からの出力に基づいて、紙幣の真贋を鑑別する。
【０００３】
紙幣鑑別装置で紙幣の真贋を正しく鑑別するためには、受光素子が受光した光量（以降、受光量と記す）と受光素子からの出力との関係が既知である必要があるが、温度変化等の環境変化や受光素子の経年劣化などに起因して、受光量に対して出力が変化してしまうことがある。このため、紙幣鑑別装置では、このような変化を補正するために、紙幣の鑑別を開始する前に紙幣がない状態で事前調整が行われる。事前調整に関する技術は、例えば、特許文献１に開示されている。
【０００４】
ところで、受光素子は受光量に応じた電荷を蓄積するように構成されているが、蓄積できる電荷には限界がある。このため、所定の光量を超えて光を受光すると、受光素子が飽和してしまい、所定の光量を超えて受光した光が出力に反映されない。飽和状態は、発光素子と受光素子が対向する位置に配置される透過型の鑑別装置が事前調整を行うときに、特に生じやすい。
【０００５】
従って、事前調整を行うときには、飽和状態にならないように、紙幣鑑別時に比べて発光素子から発光される光の強度（つまり、単位時間当たりの発光量）を抑えた状態で、受光素子における受光量と出力の関係が調査され、出力が予め決められた基準値となるようにゲイン調整が行われるのが通常である。
【先行技術文献】
【特許文献】
【０００６】
【特許文献１】特開２００２−２３６０５３号公報
【発明の概要】
【発明が解決しようとする課題】
【０００７】
しかしながら、発光素子からの発光量を抑えるために、発光素子への入力である電流や電圧を変化させると、発光量とともに発光される光の波長までも変化してしまうことがある。
【０００８】
波長が異なると、例えば、受光素子の量子効率などが異なる。このため、異なる波長で行った事前調整では、鑑別装置が十分に調整されず、正確な真贋の鑑別に支障を来す可能性がある。
【０００９】
以上のような実情を踏まえ、本発明は、環境変化や経年劣化などに起因する紙葉類鑑別装置の光検出器からの出力の変動を適切に補正する技術を提供することを目的とする。
【課題を解決するための手段】
【００１０】
本発明の一態様は、搬送路上を搬送されている紙葉類に光を照射するための光源と、前記光源からの光を検出し、検出した光量に応じた出力値を出力する光検出器と、前記紙葉類が前記光源と前記光検出器との間の搬送路にない状態における前記光源の点灯時間毎の前記光検出器からの出力値である第１の出力値と前記光源の点灯時間毎の所望の出力値である第２の出力値との関係を記憶する記憶部と、前記記憶部に記憶されている前記光源の点灯時間毎の前記第１の出力値と前記第２の出力値との関係に基づいて、前記紙葉類が前記光源と前記光検出器との間の前記搬送路にある状態における前記光検出器からの出力値である第３の出力値を補正して、補正により得られる出力値である第４の出力値を出力する出力補正部と、前記出力補正部から出力される前記第４の出力値に基づいて、前記紙葉類の真贋を鑑別する鑑別部と、を備える紙葉類鑑別装置を提供する。
【００１１】
本発明の別の一態様は、光源と光検出器とを備える紙葉類鑑別装置の調整方法であって、前記紙葉類が前記光源と前記光検出器との間の搬送路にない状態で前記光源の点灯時間を変化させながら前記光源の点灯時間毎の前記光検出器からの出力値である第１の出力値を取得し、前記紙葉類が前記光源と前記光検出器との間の前記搬送路にある状態における前記光検出器からの出力値を補正するために、前記光源の点灯時間毎の前記第１の出力値と前記光源の点灯時間毎の所望の出力値である第２の出力値との関係を記憶部に記憶させ、前記記憶部に記憶されている前記光源の点灯時間毎の前記第１の出力値と前記第２の出力値との関係に基づいて、前記紙葉類が前記光源と前記光検出器との間の前記搬送路にある状態における前記光検出器からの出力値を補正する調整方法を提供する。
【００１２】
本発明のさらに別の一態様は、光源と光検出器とを備える紙葉類鑑別装置の調整用のプログラムであって、前記紙葉類が前記光源と前記光検出器との間の搬送路にない状態で前記光源の点灯時間を変化させながら前記光源の点灯時間毎の前記光検出器からの出力値である第１の出力値を取得し、前記紙葉類が前記光源と前記光検出器との間の前記搬送路にある状態における前記光検出器からの出力値を補正するために、前記光源の点灯時間毎の前記第１の出力値と前記光源の点灯時間毎の所望の出力値である第２の出力値との関係を記憶部に記憶させ、前記記憶部に記憶されている前記光源の点灯時間毎の前記第１の出力値と前記第２の出力値との関係に基づいて、前記紙葉類が前記光源と前記光検出器との間の前記搬送路にある状態における前記光検出器からの出力値を補正する処理をコンピュータに実行させるプログラムを提供する。
【発明の効果】
【００１３】
本発明によれば、環境変化や経年劣化などに起因する紙葉類鑑別装置の光検出器からの出力の変動を適切に補正する技術を提供することができる。
【図面の簡単な説明】
【００１４】
【図１】ＡＴＭに設置された本発明の実施例１に係る紙幣鑑別装置を示す概略図である。
【図２】本発明の実施例１に係る紙幣鑑別装置の構成を示す図である。
【図３】本発明の実施例１に係る紙幣鑑別装置の制御部の機能ブロック図である。
【図４】本発明の実施例１に係る紙幣鑑別装置の制御部のハードウェア構成図である。
【図５】本発明の実施例１に係る紙幣鑑別装置で実行される事前調整処理のフローチャートである。
【図６】本発明の実施例１に係る紙幣鑑別装置で実行される鑑別処理中に行われる調整処理のフローチャートである。
【図７】事前調整時における光源の点灯時間と光検出器からの出力の関係の一例を示す図である。
【図８】製品出荷時における光源の点灯時間と光検出器からの出力の関係の一例を示す図である。
【図９】本発明の実施例１に係る紙幣鑑別装置が参照する変換テーブルの一例を示す図である。
【図１０】鑑別時における紙幣の媒体濃度と光検出器からの出力の関係の一例を示すグラフである。
【図１１】本発明の実施例２に係る紙幣鑑別装置が参照する変換テーブルの一例を示す図である。
【図１２】本発明の実施例２に係る紙幣鑑別装置が参照する変換テーブルの特性を示すグラフである。
【発明を実施するための形態】
【００１５】
（実施例１）
図１は、ＡＴＭに設置された本実施例に係る紙幣鑑別装置を示す概略図である。図１に示す紙幣鑑別装置１０は、紙葉類である紙幣の真贋を鑑別する紙葉類鑑別装置であり、紙幣１が搬送されるＡＴＭ１００内の搬送路２の途中に設けられている。
【００１６】
紙幣鑑別装置１０内には、搬送路２上を搬送されている紙幣１に光を照射する光源１１と、光源１１からの光を検出して検出した光量に応じた出力値を出力する光検出器１２とが、搬送路２を挟んで向かい合う様に配置されている。即ち、紙幣鑑別装置１０は、紙幣１を透過した光の光量から紙幣１の真贋を鑑別する透過型の鑑別装置である。なお、光検出器１２は、複数の受光素子からなる光検出器であり、例えば、複数のフォトダイオードからなるＣＣＤ（Charge Coupled Device）イメージセンサである。
【００１７】
図２は、本実施例に係る紙幣鑑別装置の構成を示す図である。図２に示すように、紙幣鑑別装置１０は、光源１１と光検出器１２に加えて、光検出器１２からのアナログ信号を増幅させる増幅器１３と、増幅器１３からのアナログ信号をデジタル信号に変換するＡ／Ｄ変換器１４と、紙幣鑑別装置１０を制御する制御部２０と、光源１１を制御するための制御部２０からの制御信号をアナログ信号に変換するＤ／Ａ変換器１５と、Ｄ／Ａ変換器１５からのアナログ信号に基づいて光源１１を制御する光源駆動部１６と、を備えている。
【００１８】
制御部２０は、紙幣１が光源１１と光検出器１２の間にあるときに紙幣１に光を照射するように光源１１を制御するとともに、光検出器１２からの出力値を補正して補正された出力値に基づいて紙幣１の真贋を鑑別するように構成されている。
【００１９】
より具体的には、制御部２０は、図３に示すように、紙幣鑑別装置１０の制御プログラムやそのプログラムの実行に必要な各種の情報を記憶する記憶部２１と、光検出器１２からの出力を補正する出力補正部２２と、紙幣１の真贋を鑑別する鑑別部２３と、光源１１の駆動を制御する光源駆動制御部２４と、を備えている。そして、制御部２０では、光検出器１２からの出力値を記憶部２１が一旦記憶し、出力補正部２２が記憶部２１に記憶された光検出器１２からの出力値を後述する事前調整処理によって予め記憶部２１に記憶されている変換テーブルに基づいて補正し、鑑別部２３が補正後の出力値に基づいて紙幣１の真贋を鑑別する。
【００２０】
なお、制御部２０は、図３に示すような機能構成を有する一方で、図４に示すようなハードウェア構成を有している。即ち、制御部２０は、ＣＰＵ（Central Processing Unit）３１、メモリ３２、入出力インターフェース（以降、入出力Ｉ／Ｆと記す）３３、記憶装置３４、及び可搬記録媒体３６が挿入される可搬記録媒体駆動装置３５を有し、それらがバス３７によって相互に接続された構成を有している。
【００２１】
ＣＰＵ３１は、制御部２０全体の制御を行うものである。メモリ３２は、制御プログラムの実行の際に、記憶装置３４または可搬記録媒体３６に記憶されている制御プログラムや、制御プログラムの実行に必要な情報を一時的に記憶するものであり、例えば、ＲＡＭ（Random Access Memory）である。入出力Ｉ／Ｆ３３は、紙幣鑑別装置１０を構成する制御部２０以外の構成要素との間で情報をやり取りするものである。記憶装置３４は、制御プログラムや制御プログラムの実行に必要な情報を不揮発的に記憶するものであり、例えば、ハードディスク装置である。可搬記録媒体駆動装置３５は、光ディスクやコンパクトフラッシュ（登録商標）などの可搬記録媒体３６を収容するものであり、記憶装置３４と同様に、制御プログラムや制御プログラムの実行に必要な情報を不揮発的に記憶するものである。
【００２２】
以上のように構成された紙幣鑑別装置１０は、紙幣１の鑑別処理を開始する前に事前調整処理を実行し、紙幣１の鑑別処理中に調整処理を実行して光検出器１２からの出力値を補正することで、紙幣１の真贋の鑑別を正確に行うことができる。
【００２３】
図５は、本実施例に係る紙幣鑑別装置で実行される事前調整処理のフローチャートであり、図６は、本実施例に係る紙幣鑑別装置で実行される鑑別処理中に行われる調整処理のフローチャートである。以下、図５及び図６を参照しながら、事前調整処理と調整処理について具体的に説明する。
【００２４】
図５に示す事前調整処理は、記憶装置３４または可搬記録媒体３６に記憶されている制御プログラムをメモリ３２にロードしてＣＰＵ３１が制御プログラムを実行することにより行われる。事前調整処理は、紙幣鑑別が行われる前の紙幣鑑別が行われていないタイミングを見計らって、つまり、紙幣１が光源１１と光検出器１２の間の搬送路２上にない状態で行われる。このため、以降では、事前調整処理を無媒体調整処理とも記す。なお、事前調整処理は、処理の開始を指示する利用者の操作により手動で開始されてもよく、事前に設定したスケジュールに従って定期的にまたは不定期に開始されてもよい。
【００２５】
事前調整処理が開始されると、制御部２０は、光源１１からの単位時間当たりの発光量である光の強度を設定する（ステップＳ１０１）。より具体的には、光源１１への入力電流や電圧を設定する。なお、この設定値は、後述する紙幣鑑別時に使用される値と同じ値である。さらに、制御部２０は、光源１１が点灯する点灯時間を初期値に設定する（ステップＳ１０３）。ここでは、初期値として、例えば、最大点灯時間の１％の時間を設定する。
【００２６】
光の強度と点灯時間が設定されると、制御部２０の光源駆動制御部２４は、光源１１の発光を制御する（ステップＳ１０５）。より具体的には、光源駆動部１６に制御信号を出力し、光源駆動部１６にステップＳ１０１及びステップＳ１０３の設定に従って光源１１を点灯させる。
【００２７】
その後、制御部２０は、光源１１の点灯により点灯時間と光の強度から算出される光量を受光した光検出器１２からの出力を取得する（ステップＳ１０７）。より具体的には、記憶部２１が、光検出器１２から出力されて、増幅器１３、Ａ／Ｄ変換器１４を介して制御部２０に入力された出力値を点灯時間とともに一時記憶する。なお、出力値と点灯時間は、光検出器を構成する受光素子毎に一時記憶してもよい。
【００２８】
さらに、制御部２０は、現在の点灯時間の設定が最大点灯時間に達しているかどうかを判断する（ステップＳ１０９）。そして、最大点灯時間に達していなければ（ステップＳ１０９がＮＯ）、現在の点灯時間に所定時間（例えば、最大点灯時間の１％）を加えた時間を点灯時間として設定し（ステップＳ１１１）、ステップＳ１０５以降の処理を繰り返す。これにより、例えば、図７に示すような、事前調整時における点灯時間毎の出力値が得られる。
【００２９】
ステップＳ１０９で最大点灯時間に達していると判断されると（ステップＳ１０９がＹＥＳ）、制御部２０は、変換テーブルを作成する（ステップＳ１１３）。より具体的には、制御部２０は、上記の処理によって紙幣１が光源１１と光検出器１２との間の搬送路２にない状態で光源１１の点灯時間を変化させながら予め取得した図７に示す事前調整時における光源１１の点灯時間毎の光検出器１２からの出力値と、出荷前に予め記憶部２１に記憶された図８に示す出荷時における光源１１の点灯時間毎の光検出器１２からの出力値とを点灯時間毎に関連付けて、図９に示す変換テーブルを作成する。そして、作成した変換テーブルを記憶部２１に記憶させる。
【００３０】
以上の処理により、事前調整処理が終了する。図７及び図８に示すような点灯時間毎の光検出器１２からの出力値は受光素子毎に記憶されてもよく、図９に示す変換テーブルもまた受光素子毎に作成され記憶されてもよい。
【００３１】
なお、以降では、紙幣１が光源１１と光検出器１２との間の搬送路２にない状態である事前調整時における光源１１の点灯時間毎の光検出器１２からの出力値を第１の出力値と記し、出荷時における光源１１の点灯時間毎の光検出器１２からの出力値を、つまり、光源１１の点灯時間毎の所望の出力値を第２の出力値と記す。従って、図９では、変換前出力の列の出力値が第１の出力値であり、変換後出力の列の出力値が第２の出力値である。
【００３２】
図６に示す鑑別処理中に行われる調整処理は、紙幣鑑別処理の一部を構成する処理であり、紙幣鑑別処理毎に行われる処理である。なお、図６に示す調整処理も、図５に示す事前調整処理と同様に、記憶装置３４または可搬記録媒体３６に記憶されている制御プログラムをメモリ３２にロードしてＣＰＵ３１が制御プログラムを実行することにより行われる。調整処理は、紙幣鑑別のために光源１１からの光が紙幣１に照射され、光検出器１２が紙幣１を透過した光を検出した後に開始される。なお、紙幣鑑別のために光源１１から出射される光の強度は、図５のステップＳ１０１と同じである。また、光源１１の点灯時間は、予め設定された一定時間であり、ここでは、例えば、最大点灯時間である。
【００３３】
制御部２０は、まず、紙幣１を透過した光を検出した光検出器１２からの出力を取得する（ステップＳ２０１）。なお、以降では、紙幣１が光源１１と光検出器１２との間の搬送路２にある状態である紙幣鑑別時における、光検出器１２からの出力値を第３の出力値と記す。
【００３４】
次に、制御部２０の出力補正部２２は、図５のステップＳ１１３で作成された変換テーブルを参照して第３の出力値を補正し、補正により得られる出力値である第４の出力値を鑑別部２３に出力する（ステップＳ２０３）。
【００３５】
具体的には、変換テーブルに第３の出力値と同じ値の第１の出力値が存在する場合には、第３の出力値と同じ値の第１の出力値と関連付けられている第２の出力値を第４の出力値として鑑別部２３に出力する。例えば、ステップＳ２０１で得られた第３の出力値が６である場合には、図９の変換前出力の列から６を検索して、検索により得られた変換前出力の列の２行目の値（６）と関連付けられている変換後出力の列の２行目の値（１０）を第４の出力値として出力する。
【００３６】
一方、変換テーブルに第３の出力値と同じ値の第１の出力値が存在しない場合には、第２の出力値を補間して第４の出力値を算出し出力する。例えば、ステップＳ２０１で得られた第３の出力値が７．５である場合には、図９の変換前出力の列から７．５を検索しても該当する値は見つからない。このため、変換前出力の列の２行目の値（６）に関連付けられている変換後出力の列の２行目の値（１０）と変換前出力の列の３行目の値（９）に関連付けられている変換後出力の列の３行目の値（１５）とを取得し、これらを補間して得られる１２．５を第４の出力値として出力する。なお、補間の方法は、線形補間に限られず任意の補間方法を用いてもよい。また、補間に用いられるデータの数も２つに限られず、２つ以上の任意の数のデータを用いて補間してもよい。
【００３７】
以上の処理により、鑑別処理中に行われる調整処理が終了する。紙幣鑑別装置１０は、その後、出力補正部２２から出力された第４の出力値に基づいて、紙幣１の真贋を鑑別する。
【００３８】
本実施例に係る紙幣鑑別装置１０では、事前調整時における光検出器１２からの出力値と所望の出力値である出荷時の出力値とが関連付けられた変換テーブルを鑑別処理前に行われる事前調整処理で作成し鑑別処理中に参照する。これにより、環境変化や経年劣化などに起因する光検出器１２からの出力の変動が生じている場合であっても光検出器１２からの出力を適切に補正することができる。このため、紙幣鑑別装置１０によれば、紙幣１を正確に鑑別することができる。
【００３９】
また、紙幣鑑別装置１０では、事前調整時における出力値と出荷時の出力値を点灯時間で関連付けることで、同一の受光量に対する現時点における出力値と出荷時の出力値とを関連付けた変換テーブルが作成される。変換テーブルの作成に当たり、受光量の調整は、光源１１からの光の強度を変化させることなく光源１１の点灯時間を変化させることにより行なわれる。このため、光源１１からの光の強度を変化させる場合とは異なり、波長を変化させることなく受光量が調整される。従って、変換テーブルには、紙幣鑑別時と同じ条件（同じ波長）で得られた受光量毎の変換が定義される。このため、紙幣鑑別装置１０によれば、光検出器１２からの出力を適切に補正することが可能であり、紙幣１を正確に鑑別することができる。
【００４０】
また、紙幣鑑別装置１０では、受光素子毎に調整が行われるため、素子間の個体差による出力のばらつきを抑えることができる。このため、紙幣鑑別装置１０によれば、光検出器１２からより安定した出力を得ることが可能であり、紙幣１を正確に鑑別することができる。
【００４１】
なお、本実施例では、出力補正部２２が変換テーブルを用いて光検出器１２からの第３の出力値を補正する例を示したが、出力補正部２２は光源１１の点灯時間毎の第１の出力値と第２の出力値との関係に基づいて第３の出力値を補正すればよい。このため、出力補正部２２は、変換テーブルを用いて第３の出力値を補正する構成に限られない。例えば、記憶部２１が光源１１の点灯時間毎の第１の出力値と第２の出力値との関係を関数として記憶していてもよく、出力補正部２２が記憶部２１に記憶されている関数に基づいて第３の出力値を補正してもよい。
【００４２】
（実施例２）
本実施例に係る紙幣鑑別装置は、環境変化や経年劣化などに起因する光検出器からの出力の変動を補正することに加えて、紙幣鑑別に適した出力特性を実現するために出力補正部が変換テーブルを参照する点が異なっている。本実施例に係る紙幣鑑別装置は、出力補正部が参照する変換テーブルが異なる点を除き、実施例１に係る紙幣鑑別装置１０と同様の構成を有している。このため、本実施例に係る紙幣鑑別装置を構成する構成要素については、実施例１に係る紙幣鑑別装置１０と同一の符号を用いて参照する。
【００４３】
図１０は、鑑別時における紙幣の媒体濃度と光検出器からの出力の関係の一例を示すグラフである。まず、紙幣１の鑑別に好ましい出力特性について、図１０を参照しながら説明する。
【００４４】
例えば、光源１１からの光をすべて透過させる媒体濃度０から光源１１からの光を全く透過させない媒体濃度９までの１０段階で媒体濃度を定義すると、正常に機能している光検出器１２からの出力値は、媒体濃度が高いほど低い値を示し、図１０に示すような媒体濃度に対して線形な特性を有する。これは、媒体濃度の変化に対して出力値の変化が一定であることを意味している。つまり、紙幣１はその領域によって媒体濃度が異なっているが、光検出器１２が正常に機能している場合には、紙幣鑑別装置では、紙幣１の領域に寄らず、鑑別能力は一定である。
【００４５】
しかしながら、紙幣１には、鑑別に当たって、より詳細に違いを検出すべき領域もあれば、比較的大まかに違いを検出すれば足りる領域もある。このため、一定の階調表現で紙幣１を鑑別する場合であれば、より詳細に違いを検出すべき領域では違いによって出力値が大きく変化し、比較的大まかに違いを検出すれば足りる領域では違いによって出力値が小さく変化するような出力特性が望ましい。
【００４６】
そこで、本実施例に係る紙幣鑑別装置では、点灯時間に対して線形的に増加する関係を有している出荷時における光源１１の点灯時間毎の光検出器１２からの出力値の代わりに、紙幣１の鑑別に適した点灯時間毎の光検出器１２からの所望の出力値を、第２の出力値として変換テーブルの作成に使用する。
【００４７】
具体的には、媒体濃度と受光量が反比例の関係にあり、媒体濃度と点灯時間も同様に反比例の関係にあることを考慮して、媒体濃度に対応する点灯時間を換算し、点灯時間毎の光検出器１２からの所望の出力値を予め記憶部２１に記憶させる。そして、図５に示す事前調整処理のステップＳ１１３で、出荷時における光源１１の点灯時間毎の光検出器１２からの出力値の代わりに、点灯時間毎の光検出器１２からの所望の出力値を用いて変換テーブルを作成すればよい。
【００４８】
図１１は、このようにして作成された変換テーブルの一例であり、図１２に示すような変換特性を有している。図１１及び図１２の変換テーブルは、点灯時間に対して線形的に増加する関係を有している出荷時における光源１１の点灯時間毎の光検出器１２からの出力値の代わりに、点灯時間に対して対数関数的に変化する関係を有している出力値を第２の出力値として使用して作成したものである。
【００４９】
図１１及び図１２に示す変換テーブルによって出力値を補正することで、媒体濃度が低い領域（明るい領域）に比べて媒体濃度が高い領域（暗い領域）で、媒体濃度の変化に対して補正後の出力値を大きく変化させることができる。従って、本実施例に係る紙幣鑑別装置によれば、紙幣１のより詳細に違いを検出すべき領域が媒体濃度の高い領域に存在する場合には、実施例１に係る紙幣鑑別装置１０によりも、紙幣１をさらに正確に鑑別することができる。その他の効果は、実施例１に係る紙幣鑑別装置１０と同様である。
【００５０】
なお、本実施例でも、光源１１の点灯時間毎の第１の出力値と第２の出力値との関係に基づいて第３の出力値を補正すればよく、当該関係を変換テーブルの代わりに関数によって記憶していても良い点は、実施例１と同様である。
【００５１】
以上では、紙葉類として紙幣を例示し、紙葉類鑑別装置として紙幣鑑別装置を例示して説明したが、上述した技術は、紙幣鑑別装置に限られず、任意の紙葉類鑑別装置に適用可能である。上述した各実施例は、発明の理解を容易にするために本発明の具体例を示したものであり、本発明はこれらに実施例に限定されるものではない。本発明の紙葉類鑑別装置、紙葉類鑑別装置の調整方法、及び、プログラムは、特許請求の範囲に規定された本発明の思想を逸脱しない範囲において、さまざまな変形、変更が可能である。
【符号の説明】
【００５２】
１      紙幣
２      搬送路
１０      紙幣鑑別装置
１１      光源
１２      光検出器
１３      増幅器
１４      Ａ／Ｄ変換器
１５      Ｄ／Ａ変換器
１６      光源駆動部
２０      制御部
２１      記憶部
２２      出力補正部
２３      鑑別部
２４      光源駆動制御部
３１      ＣＰＵ
３２      メモリ
３３      入出力Ｉ／Ｆ
３４      記憶装置
３５      可搬記録媒体駆動装置
３６      可搬記録媒体
３７      バス
１００      ＡＴＭ
【図２】
2014130391.tif 000003
【図３】
2014130391.tif 000004
【図４】
2014130391.tif 000005
【図５】
2014130391.tif 000006
【図６】
2014130391.tif 000007
【図７】
2014130391.tif 000008
【図８】
2014130391.tif 000009
【図９】
2014130391.tif 000010
【図１０】
2014130391.tif 000011
【図１１】
2014130391.tif 000012
【図１２】
2014130391.tif 000013
【図１】
2014130391.tif 000014